(57)【特許請求の範囲】
【請求項１】
少なくとも電源（６５）と、無線部（４）と、該無線部のアンテナ（５）と、少なくとも１つのマイクロホン（９，１４）、少なくとも１つの受話口（８，１３）、呼を発するための手段（６，６６）及び呼に答えるための手段（１５）を有するユーザーインターフェースとから成る無線電話（１）において、
該無線電話（１）は少なくとも第１部分（２）と第２部分（３）とに分割されており、該第１部分（２）は、少なくとも該電源（６５）と、無線部（４）と、該無線部のアンテナ（５）と、第１リンク通信（ＬＩＮＫ１）で時分割多元接続を用いて該第２部分（３）と通信するための手段（２１，２８）とから成り、該第２部分（３）は、少なくとも、呼に答えるための手段（１５）と、該第１部分（２）と通信するための手段（３３，３９）とから成り、かつ
該第１部分（２）と該第２部分（３）とはパスワードを備え、ここに該第１部分（２）は該第２部分（３）に該パスワードを伝送するようにされており、かつ該第２部分（３）は、該第１部分（２）と通信するための前記手段（３３，３９）によって該第１部分（２）から受信した信号を調べて、該信号が該第２部分（３）のパスワードを含んでいるか否かを決定し、該信号が該第２部分のパスワードを含んでいることが決定されたならば、該第１部分（２）と該第２部分（３）との間に該第１リンク通信を確立するようにされたコントローラ（３４）を備えていることを特徴とする無線電話。
【請求項２】
該無線電話（１）は第１部分（２）及び第２部分（３）に分割されており、該ユーザーインターフェース（６，８，９）は該第１部分（２）に配置され、補助受話口（１３）及び補助マイクロホン（１４）は該第２部分（３）に配置されていることを特徴とする請求項１に記載の無線電話。
【請求項３】
該無線電話（１）は第１部分（２）及び第２部分（３）に分割されており、該ユーザーインターフェース（１３，１４，１５）は該第２部分（３）に配置されていることを特徴とする請求項１に記載の無線電話。
【請求項４】
該無線電話（１）は第１部分（２）、第２部分（３）及び第３部分（４５）に分割されており、ユーザーインターフェース（６，８，９）が該第１部分（２）に配置されており、該第２部分（３）は該第３部分（４５）と通信するための手段（４６，４７）を更に備えており、補助受話口（１３）と補助マイクロホン（１４）とが該第３部分（４５）に配置されていて、該第３部分（４５）は該第２部分（３）と通信するための手段（７０，７３）を更に備えていることを特徴とする請求項１に記載の無線電話。
【請求項５】
該無線電話（１）は第１部分（２）、第２部分（３）及び第３部分（４５）に分割されており、呼を発するための手段（６６）と呼に答えるための手段（１５）とが該第２部分（３）に配置されており、該第２部分は該第３部分と通信するための手段（４６，４７）を更に備えており、補助受話口（１３）と補助マイクロホン（１４）とが該第３部分（４５）に配置されており、該第３部分は該第２部分（３）と通信するための手段（７０，７３）を更に備えていることを特徴とする請求項１に記載の無線電話。
【請求項６】
少なくとも、該第１リンク通信（ＬＩＮＫ１）で該第２部分（３）と通信するための該第１部分の手段（２１，２８）と、該第１部分（２）と通信するための該第２部分の手段（３３，３９）とは、電力消費量を下げるために時折オンに切り換えられるようになっていることを特徴とする請求項１乃至５のいずれか１項に記載の無線電話。
【請求項７】
該第１部分（２）と該第２部分（３）との間の該第１リンク通信（ＬＩＮＫ１）は双方向無線通信であり、該第１部分（２）から該第２部分（３）へ転送される信号は送信周波数帯域（アップリンク）で送信されるようになっており、該第２部分（３）から該第１部分（２）へ転送される信号は受信周波数帯域（ダウンリンク）で送信されるようになっており、使用される各々の送信周波数及び受信周波数は好ましくは互いに一定の距離を置いている（デュプレックス分離）ことを特徴とする請求項１乃至６のいずれか１項に記載の無線電話。
【請求項８】
該第１リンク通信（ＬＩＮＫ１）でのデータ転送は周波数変調された信号として実行されるようになっており、該第１部分（２）は、該第１部分（２）から該第２部分（３）へ転送される信号を送信する送信装置（２８）と、該第２部分（３）から該第１部分（２）へ転送される信号を受信する受信装置（２１）とを有するリンクモジュール（１０）を備えており、該第２部分（３）は、該第２部分（３）から該第１部分（２）へ転送される信号を送信する送信装置（３９）と、該第１部分（２）から該第２部分（３）へ転送される信号を受信する受信装置（３３）とを備えていることを特徴とする請求項７に記載の無線電話。
【請求項９】
該リンクモジュールの送信装置（２８）と該第２部分の送信装置（３９）とは通話中にのみオンに切り換えられるようになっており、
該リンクモジュールの受信装置（２１）と該第２部分の受信装置（３３）とは、該第１リンク通信（ＬＩＮＫ１）にメッセージが存在するかしないか調べるために周期的にオンに切換えられるとともに通話中にオンに切換えられるようになっていることを特徴とする請求項６又は８に記載の無線電話。
【請求項１０】
該リンクモジュール（１０）は、別々の各場合に該第１リンク通信（ＬＩＮＫ１）で使用される送信周波数及び受信周波数を選択するための手段（２０，２１，２７，２８，Ｄ１）を有することを特徴とする請求項８又は９に記載の無線電話。
【請求項１１】
別々の各場合に該第１リンク通信（ＬＩＮＫ１）で使用される搬送周波数の選択は、該リンクモジュールの該受信装置において該第１リンク通信用に選択されている受信周波数帯域を走査して、メッセージの無い搬送周波数を明らかにするためにその走査中に該受信装置の出力信号を試験することによって実行されるようになっていることを特徴とする請求項１０に記載の無線電話。
【請求項１２】
該第１リンク通信（ＬＩＮＫ１）で別々の各場合に使用される送信周波数及び受信周波数の選択は、該リンクモジュールの局部発振器（２０）を、該無線部の局部発振器（５１）にセットされた周波数に応じて調整することにより実行されるようになっていることを特徴とする請求項１０に記載の無線電話。
【請求項１３】
該リンクモジュールの該局部発振器（２０）の周波数と該無線部の該局部発振器（５１）の周波数との差は一定であることを特徴とする請求項１２に記載の無線電話。
【請求項１４】
１つ或いは数個のトラフィックチャネルが通信に使用されるようになっており、各トラフィックチャネル又は特定のチャネル・グループに対応するリンクチャネルが各リンク通信（ＬＩＮＫ１，ＬＩＮＫ２，ＬＩＮＫ３）に設けられるようになっていることを特徴とする請求項１０に記載の無線電話。
【請求項１５】
該無線電話（１）は、トラフィックチャネルでの通信時に時分割（ＴＤＭＡ）が使用されるようになっているデジタル電話であり、各トラフィックチャネルにおいて異なるタイムスロットが使用されるようになっており、リンクチャネルで時分割が使用されるようになっていて、各リンクチャネルで異なるタイムスロットが使用されるようになっていることを特徴とする請求項１４に記載の無線電話。
【請求項１６】
該無線電話（１）は、電話通信における通信チャネルでスペクトル拡散通信法が使用されるデジタル電話であり、各通信チャネルに独自の疑似ランダム・バイナリシーケンスが設けられることを特徴とする請求項１４に記載の無線電話。
【請求項１７】
通信チャネルで周波数ホッピングが使用されるようになっていて、各通信チャネルに独自のホッピング・シーケンスが設けられることを特徴とする請求項１４に記載の無線電話。
【請求項１８】
該第２部分（３）と該第３部分（４５）との間の第２リンク通信（ＬＩＮＫ２）は、双方向無線通信であることを特徴とする請求項４乃至１７のいずれか１項に記載の無線電話。
【請求項１９】
該第２リンク通信（ＬＩＮＫ２）でのデータ転送は周波数変調された信号として実行されるようになっており、該第２部分（３）は、該第２部分（３）から該第３部分（４５）へ転送される信号を送信する手段（４６，４８，６７）と、該第３部分（４５）から該第２部分（３）へ転送される信号を受信する手段（４７，４８，６８）とを備えていることを特徴とする請求項１８に記載の無線電話。
【請求項２０】
一度に第１リンク通信（ＬＩＮＫ１）及び第２リンク通信（ＬＩＮＫ２）で使用される送信周波数（アップリンク）の差は一定であることを特徴とする請求項１９に記載の無線電話。
【請求項２１】
オーディオ信号は該第１部分（２）と該第３部分（４５）との間で直接転送されるようになっており、該第１部分は該第３部分と通信するための送信装置／受信装置を更に備えており、該第３部分は該第１部分と通信するための送信装置／受信装置を更に備えていることを特徴とする請求項４又は５に記載の無線電話。
【請求項２２】
該第１リンク通信（ＬＩＮＫ１）及び該第３リンク通信（ＬＩＮＫ３）が同一であることを特徴とする請求項４乃至１７及び２１のいずれか１項に記載の無線電話。
【請求項２３】
該無線電話がＧＳＭ移動電話であることを特徴とする請求項１乃至１５及び１８乃至２２のいずれか１項に記載の無線電話。
【請求項２４】
該無線電話がハンドホンであることを特徴とする請求項２３に記載の無線電話。
【請求項２５】
該無線電話がＣＤＭＡ移動電話であることを特徴とする請求項１乃至１５及び１８乃至２２のいずれか１項に記載の無線電話。
【請求項２６】
該第１部分（２）は、呼を発したり、呼に答えるのに或るタイムスロットを使用する時分割多元接続を用いるようにされており、ここに該第１リンク通信（ＬＩＮＫ１）で該第２部分（３）と通信するための前記手段（２１，２８）は、該第１リンク通信内で前記タイムスロットと同じタイムスロットを使用するようにされていることを特徴とする請求項１乃至１５及び１８乃至２４のいずれか１項に記載の無線電話。
【発明の詳細な説明】
【０００１】
【発明の属する技術分野】
本発明は、請求項１の前提部分に記載されている無線電話に関する。
【０００２】
【従来の技術】
無線電話は、この文脈においては通信網又は他の無線電話と無線通信を行うことのできる無線電話に関する。ハンドホンは、手に適するサイズ及びデザインを有する移動電話等の携帯用無線電話に関連する。上記の定義は、下記の刊行物に基づいている：
publication No. TSK 19, "Matkaviestinsanasto - Vocabulary of Mobile Communications（移動通信用語集）", published by Tekniikan sanastokeskus ry, Helsinki 1993.
【０００３】
無線電話のユーザーインターフェースは、少なくとも、マイクロホン、受話口、及び、呼を発したり入ってくる呼に答えるためのキーを有する。また、特に移動電話はディスプレイを備えていて、これにより該電話のユーザーに、例えば入ってきた呼などについての情報を呈示することができる。
【０００４】
ハンドホンを使うことには、例えば、車席の上に置いてある上着のポケットや、バッグの中や、胸のポケットの中や、或いはその他の不便な場所などの、手の届かない場所にその電話がある場合などにしばしば該電話が鳴り出すという問題がある。また、バスの中や、会議中や、或いは教会の中にいるときなどの、他の理由から、応答するのが難しいときに該電話が鳴り出すこともある。
【０００５】
腕帯に無線電話全体を取り付けることによって上記の欠点を克服する試みがなされているが、その場合には、その腕電話は携帯しやすくて、それが鳴り始めるときにはユーザーの身近にあるので応答しやすい。例えば、欧州特許出願ＥＰ−６０２８２８は、無線電話を腕時計型のケースに取り付ける解決策を紹介している。その無線電話の、マイクロホンを含む殆どの部分がそのケースの本体に置かれており、主として受話口がカバー部分に置かれている。呼を開始するときには、カバー部分が開かれて、マイクロホンと受話口との間の距離が大きくなるので、その腕電話が使いやすくなる。上記の公報は、主として腕電話の機械的構造を解説しようとしている。米国特許第５，２６０，９１５号も腕電話の機械的構造を実現する解決策を紹介している。実際問題としては、従来技術は、該電話の程良い動作時間が望まれるので、それを腕に置くのが賢明であるようなやり方で該無線電話をコンパクトにまとめるための手段を提供していない。公知の無線電話用の電池は依然として腕帯全体よりかなり大きくて重く、無線電話を腕帯に合うようにするためには非常に小さい電池を使う必要があるが、それは、１回の充電での腕電話の動作時間が非常に短いことを意味する。
【０００６】
腕電話の別の問題は、アンテナの設け方である。例えば腕帯の周りに巻き付けるなどして、アンテナをユーザーの身体に近づけすぎると、アンテナの特性が劣化する。このことが基地局又は他の無線電話からの腕電話の動作距離に制限を課す。
公知の腕電話のもう一つの欠点は、送信装置の効率が低すぎるので、無線電話全体が腕帯にコンパクトにまとめられたときには熱の問題が生じることである。腕電話に加わる熱負荷は、ユーザーの手首により更に増大する。
【０００７】
【発明が解決しようとする課題】
本発明の目的は、無線電話の使用方法を、特に無線電話への応答の見地から改良することである。本発明は、無線電話のユーザーインターフェースの少なくとも一部分を、ユーザーが携帯しやすくて且つ手の届くところに維持しやすいように構成するという着想に基づいている。
【０００８】
【課題を解決するための手段】
この目的を達成するために、無線電話は少なくとも第１部分と第２部分とに分割され、その第１部分は、少なくとも、電源と、無線電話システム内で例えば基地局や他の無線電話と通信を行う無線部（トランシーバー）と、アンテナと、第２部分と通信するためのデータ転送手段とから成る。第２部分は、少なくとも、キーと、第１部分と通信するためのデータ転送手段とから成る。本発明をＧＳＭ移動電話等のデジタル電話に適用するときには、デジタル信号処理機能は第１部分に有利に置かれる。本発明は、請求項１の特徴部に記載されていることに特徴を有する。
【０００９】
本発明は、従来技術と比べて顕著な利点を有する。本発明の無線電話の第２部分がユーザーに近くて、例えば手首の所にあるとき、第２部分のキー等によって該電話に容易に応答することができる。更に、第２部分のみを使うことによって通話全体を実行することができる。従って、通話全体を通じて、通常の使用条件下では第１部分をベルトに付けたり、ポケットやバッグや、或いは車の手袋入れのロッカーの中などに置いておくことができる。
【００１０】
本発明に従うリンク通信を、接続に使用される周波数が無線部により使用される周波数に依存することとなるように実施することができ、その場合、本発明の数個の無線電話が互いに隣接していても互いに妨害し合うことなく同時に使用されることができる。
【００１１】
本発明の解決策では、腕電話で問題を引き起こす部分、例えば無線部の送信装置及び電池などの部分を第１部分に置き、手首部分を電力消費量が少ないように形成することができる。従って、充電不能の電池で手首部分を作動させることもできる。
【００１２】
本発明の無線電話では、無線部のアンテナは、第１部分にあって、ユーザーの身体からは遠く、公知の腕電話のアンテナの位置の問題を解消することができる。
【００１３】
次に、添付図面を参照して本発明を一層詳しく説明する。
【００１４】
【発明の実施の形態】
図１に示されている本発明の第１の有利な実施例である無線電話１は、第１部分即ち電話部分２と、第２部分すなわちこの第１部分とデータ転送通信する手首部分３とから成る。使用される電話部分２は好ましくはＧＳＭ移動電話等の無線電話である。電話部分２は、特に該無線電話の送受信装置４９を有する無線部４、該無線部のアンテナ５、キーパッド６、ディスプレイ手段７、受話口８及びマイクロホン９から成る。更に、電話部分２は、手首部分３及び電話部分２の間にデータ転送通信を作り出すリンクモジュール１０を有する。リンクモジュール１０は電話部分２のシステムコネクタ１２等に有利に取り付けられており、このシステムコネクタを介して、データ転送通信に必要な、リンクモジュール１０と電話部分２との間のシグナリングを行わせることができる。
【００１５】
本発明の第１の実施例の手首部分３は、少なくとも、補助受話口１３、補助マイクロホン１４、送受話器キー、即ち呼に答えるためのキー１５及び呼を終了させるためのキー１６、及び警報信号を出すための手段３６を有する。また、本発明の第１実施例の手首部分３には、例えば電話をかけてきた相手の電話番号や、電話をかけてきている人の名前など、電話部分のディスプレイ手段７に表示される情報に対応する情報を表示するために補助ディスプレイ装置１１が設けられている。更に、手首部分３は好ましくは腕帯１７を有し、手首部分３を手首に容易に取り付けて、必要ならばユーザーはそれを携帯することができる。図１では、手首部分３は機能位置に示されていて、取り付けアーム１８の第２端に取り付けられている補助受話口１３は第１手首ケース１９ａから引き出されている。従って、補助受話口１３と補助マイクロホン１４との間の距離はユーザーの耳と口との間の距離とほぼ一致する。手首部分３が手首に取り付けられているとき、補助受話口１３は手のひらに位置する。手のひらは耳に向けて置かれ、補助受話口１３は耳に非常に近くなり、補助マイクロホンは口に近くなる。手のひらは耳の周囲にあって、外部の騒音の影響を減衰させるので、音声の理解性が向上する。呼が終了した後、補助受話口１３は第１手首ケース１９ａに押し戻され、呼終了キー１６が押される。
【００１６】
この明細書では、電話部分２と手首部分３とのデータ転送通信は第１リンク通信ＬＩＮＫ１と称される。リンク通信を提供するための方法は幾つもある。１つの解決策は、リンク接続を導電的に、即ち導体又はケーブルによって、実現する方法である。その場合、電話部分２と手首部分３との間の距離は、その導体又はケーブルの長さによって制限される。この解決策の利点は、強い外乱があっても、接続が確実に機能することである。この解決策は、電話部分２がユーザーに近くて、例えば上着のポケットの中にあり、手首部分３が手首に取り付けられている場合に使用可能である。
【００１７】
リンク接続を、例えばテレビのリモートコントロール装置に利用されている超音波データ転送として実現することもできる。この場合、送られるべき情報で変調された超音波信号が超音波送信機で作られて、超音波受信装置で復調される。超音波を使用することにより、電話部分２と手首部分３との間に視覚的接続は不要となる。しかし、超音波は非常に急速に減衰するので、電話部分２が例えば服の内側にあって覆われているときには通信は不可能であるかも知れない。
【００１８】
リンク通信を赤外線データ転送として実現することもでき、この場合には電話部分２及び手首部分３の両方が赤外線送信装置と赤外線受信装置とを備える。赤外線データ転送を行うためには、赤外線ビームが妨害を受けることなく直接に、或いは窓やその他の、光を反射して光る反射面を介して、赤外線送信装置から赤外線受信装置まで進むことができなければならず、それがこのデータ転送方法の効用を制限する。
【００１９】
リンク通信機能を作り出す最も有利な方法は無線通信であり、これは視覚的通信を必要とせず、通常の使用中には信号の減衰は何の問題も生じさせない。図２は、電話部分２における、本発明の第１の有利な実施例である無線電話１で使用される第１リンク通信ＬＩＮＫ１の実施態様を示す。リンクで使われる変調方法は、例えば、周波数変調（ＦＭ）又はデジタル変調方法である。該リンク通信では、本発明を適用するにあたっては、使用される周波数範囲は関係がない。周波数範囲は有利にチャネルに分割され、その周波数範囲の特定の部分が各チャネルのために留保される。チャネルの幅は、例えば、使用される変調方法に基づく。例えば周波数変調では、搬送周波数はチャネルの中間周波数（チャネル周波数）にセットされ、周波数変調される信号の周波数は、このチャネル周波数の両側の変調信号に応じて変化する。最大周波数変化量は、そのチャネルのために留保された周波数範囲の幅の半分を上回らない。
【００２０】
リンク通信は、好ましくはアナログ電話システムにおいてリンクの両方向に同時に送信が可能であるのと同様に、双方向である（第１リンク通信ＬＩＮＫ１では電話部分２から手首部分３へ、且つ手首部分３から電話部分２へ）。従って、電話部分のリンクモジュールの送信装置は第１送信帯域（アップリンク帯域）の空いているチャネル周波数で送信し、手首部分の送信装置は第１受信帯域（ダウンリンク帯域）の各チャネル周波数で送信する。実用的実施例では送信チャネル周波数と受信チャネル周波数との差は一定に設定される（デュプレックス分離）。
【００２１】
時分割多元接続（ＴＤＭＡ）を利用するデジタル電話システムとの関係で、同じ地域で数台の電話が同じ周波数で動作することがあるので、各電話のために通信のためのタイムスロットが留保されることにも留意しなければならない。その様なシステムでは、本発明のリンクで時分割を使用することもでき、リンクにより使用されるタイムスロットを、電話により使用されるタイムスロットと結びつけることができる。
【００２２】
本発明の第１の有利な実施例であるアナログ無線電話１は、次のように動作する。無線電話１は、そのメニュー機能（図示せず）によりＵＡＩ動作モード（User Air Interface（ユーザーエアインターフェース））にセットされ、この動作モードでリンクモジュール１０が使用される。呼が電話部分２に到着すると、第１リンク通信ＬＩＮＫ１の生成が開始される。電話部分２のリンクモジュールの受信装置２１は、例えば三角波の形の電圧を走査線に切り換えてスイッチＳ１を閉じることにより、第１リンク通信のために選択されている受信帯域を走査するようにセットされる。その三角波は、例えばコントローラ２７のデジタル／アナログ変換器（Ｄ／Ａ）によって作られる。この三角波はスイッチＳ１及び抵抗Ｒ１を介してキャパシタンスダイオードＤ１に向けられる。キャパシタンスダイオードＤ１の各導体間の電圧の変化はキャパシタンスダイオードＤ１のキャパシタンスを変化させる。キャパシタンスダイオードＤ１はリンクモジュールの局部発振器２０の周波数制御回路に結合されており、リンクモジュールの局部発振器２０の周波数は走査線の電圧の変化と関連して変化する。リンクモジュールの局部発振器２０により作られた周波数はリンクモジュールの受信装置のミクサ２２に向けられる。リンクモジュールの受信アンテナ回路はミクサ２２に接続されており、受信回路はリンクモジュールの受信アンテナ２３と、第１帯域フィルター２４と、リンクモジュールの受信装置の高周波増幅器５８とから成る。第１帯域フィルター２４に設定されている通過帯域は第１リンク通信のために選択されている受信帯域の周波数範囲であり、前記の周波数範囲の中にある無線周波数信号が該ミクサに向けられる。ミクサ２２の出力から混合結果が得られるが、それは局部発振器周波数信号と受信されるべき無線周波数信号との差であり、この差が第２帯域フィルター２５を介して検波器２６に向けられる。第２帯域フィルター２５の通過帯域の幅は、チャネルの幅に実質的に等しく、隣接するチャネルに信号があっても、それは復調に対しては何らの妨害も与えない。検波器の出力から、復調された信号４２が得られる。復調された信号は更に低域フィルター７５に向けられ、低域濾波された信号はＡＦＣラインに送られ、走査中にその電圧レベルがリンクモジュール・コントローラ２７によって監視される。図２の装置では、監視はコントローラ２７のアナログ／デジタル変換器（Ａ／Ｄ）によって行われ、この変換器は電圧値をデジタル値に変換し、その値はコントローラ２７のアプリケーション・ソフトウェアで処理される。ＡＦＣラインの電圧レベルは検波器２６の出力のＤＣレベルに対する相対的なものである。手首部分から送信される信号が受信されつつあるとき、ＡＦＣラインを使って受信装置の局部発振器周波数を手首部分から送られる信号の搬送周波数にロックさせておくことができる。
【００２３】
コントローラ２７は、ＡＦＣラインの電圧レベルに基づいて、受信帯域に他の通信があるか否か判断する。もし他の通信が存在しなければ、受信帯域のどのチャネル周波数にも同調させることができる。他の通信が発見された場合には、受信帯域で空いているチャネルが選択されなければならない。空きが無い場合には、選択された受信帯域で手首部分との通信を行うことはできない。空いているスペースが発見された場合には、受信装置はそのチャネル周波数に同調される、即ち選択されたチャネル周波数に対応する制御電圧がキャパシタンスダイオードＤ１にセットされる。従って、キャパシタンスダイオードＤ１のキャパシタンスは、リンクモジュールの局部発振器２０の周波数を、選択されたチャネル周波数と一致するようにセットする。この実施例ではリンクモジュールの局部発振器２０はリンクモジュールの受信装置２１とリンクモジュールの送信装置２８とに共通であるので、リンクモジュールの受信装置が正しいチャネル周波数に同調されるのと同時にリンクモジュールの送信装置もデュプレックス分離の周波数に同調される。
【００２４】
受信され復調された信号をリンクモジュールのオーディオ出力ライン４２から得ることができる。データ信号が受信されつつあるとき、その信号はリンクモジュールのコントローラ２７に向けられ、該コントローラは、スイッチＳ１３を閉じることにより、受信されたデータを調べる。しかし、オーディオ信号は、スイッチＳ９を閉じることにより電話部分２へ向けられる。手首部分の送信が受信されているとき、スイッチＳ１１を閉じることによりＡＦＣラインをキャパシタンスダイオードＤ１に切り換えることができ、受信装置２１は送信周波数にロックされている。
【００２５】
空いている受信チャネルが発見された後、電話部分２と手首部分３とのデータ転送通信の形成を開始することができる。リンクモジュールのコントローラ２７は、受信装置２８をオンに切り換え、スイッチＳ２を閉じて、リンクモジュール１０と手首部分３とに共通のパスワードをリンクモジュールの変調器のデータ入力に供給する。
【００２６】
そのパスワードは、無線電話１の国際移動装置識別子（the international mobile equipment identification （ＩＭＥＩ））であることができる。そのパスワードは手首部分３にも記憶される。従って、呼が到来すると、例えばリンクモジュールのコントローラ２７は、その装置識別子ＩＭＥＩを読み、また場合によっては無線電話１に記憶されている他の情報も読み、その情報を手首部分３に送る。手首部分３では、装置識別子が手首部分に記憶されているか否かが調べられ、肯定の場合には受信された装置識別子ＩＭＥＩは手首部分３に記憶されている装置識別子と比較される。もし手首部分３に装置識別子が記憶されていて、それが受信された装置識別子と同じであれば、入り呼の警報が発生される。その他の場合には警報は発生されず、リンク接続は打ち切られる。この様な構成により、手首部分３が問題の無線電話１の手首部分３であることが保証される。リンク接続ＬＩＮＫ１の活動範囲の中に本発明の無線電話１が数台ある場合にこの様な識別が必要になるかも知れない。
【００２７】
図２はリンクモジュールの送信装置２８を示しており、この送信装置は次のように動作する。即ち、変調信号に応じてキャパシタンスが変化するキャパシタンスダイオードＤ２に変調信号が印加される。データ信号はスイッチＳ２と分離手段Ｒ７とを介して送られ、アナログ信号はスイッチＳ６と分離手段Ｒ８とを介して送られる。分離手段Ｒ７、Ｒ８は主としてインピーダンス整合手段として作用する。変調されるべき発振器２９の基本周波数は、送信される無線周波数信号と受信される無線周波数信号との間に所望のデュプレックス分離の値に等しい周波数差が生じることとなるように選択される。共通の局部発振器を使用することによって、使用されるチャネルに関わりなくデュプレックス分離が一定に保たれることとなるように受信装置及び送信装置の両方を同調させることが可能である。変調結果として、周波数変調された信号が得られ、この信号はリンクモジュール送信装置のミクサ３０の第１入力に送られる。リンクモジュールの局部発振器２０の周波数はミクサ３０の第２入力に送られるが、この周波数は、受信装置が所望の受信周波数に同調するようにセットされる。この様にして、変調された送信チャネル周波数信号がこのミクサの出力から得られ、その信号は更にリンクモジュールの高周波増幅器５９で増幅され、例えばスプリアス応答を減衰させるために低域フィルター３１で低域通過濾波される。低域フィルターから、変調された無線周波数信号はリンクモジュールの送信アンテナ３２に送られる。
【００２８】
手首部分の受信装置は所定間隔をおいて、例えば５秒ごとに、オンにされ、手首部分の受信帯域即ちリンクモジュール１０の送信帯域が走査される。手首部分のコントローラ３４は同時に手首部分の検波器３５の出力を制御して、無線部のリンクモジュールにより作られた送信可能なものを探す。送信が発見された場合には、受信装置はその送信にロックされ、その送信に含まれている情報が読みとられる。手首部分のパスワードが発見された場合には、手首部分の受信装置はその周波数にロックされる。手首部分の自分のパスワードが発見されたならば、例えば音響や光の信号、振動或いはくすぐりなどの手段によってユーザーに入り呼について知らせるために、警報信号を作るための手段３６で警報が発生される。
【００２９】
この様に周期的にオンに切り換えるのは、手首部分３の電力消費量を減らすためである。手首部分で動作電圧をオンに切り換えなければならないのは通話時だけである。その他のときには動作電圧をオフに切り換えておくことができ、一定間隔で無線部が呼を受け取っているか否かがチェックされるだけである。
【００３０】
無線部のリンクモジュールの受信装置２１は、同様に動作することにより電力を節約して使うことができる、即ち、該受信装置はその受信帯域に、即ち手首部分の送信帯域に、送信があるか無いか一定間隔をおいて制御するだけであり、その他のときには動作電圧はオフに切り換えられる。
【００３１】
リンクモジュール１０の送信部と手首部分３の送信部との動作電圧は通話時だけオンに切り換えられる。
【００３２】
無線電話自体の無線部２の受信装置及び送信装置の動作電圧のための制御信号はリンクの送信装置及び受信装置の動作電圧のスイッチング信号のためには好ましくない。例えば、該電話の受信装置の動作電圧をリンクモジュール１０の場合のような長い時間にわたってオフに切り換えておくことはできないという事実の故に、それらの制御信号がリンク部での電力消費を増大させる原因となるからである。
【００３３】
手首部分３の送信装置／受信装置の動作は、その相当の部分においてリンクモジュール１０の送信装置／受信装置の動作と一致する。手首部分の受信装置３３は、例えば走査線に対する三角波形の電圧をオンに切り換えるとともにスイッチＳ３を閉じることにより、第１リンク通信のために選択されている送信帯域全体を走査するようにセットされる。この三角波はスイッチＳ３及び抵抗Ｒ４を介してキャパシタンスダイオードＤ３に向けられる。キャパシタンスダイオードＤ３により、手首部分の局部発振器３７の周波数が走査線の電圧の変化と関連して制御される。手首部分の局部発振器３７により形成された周波数は手首部分の受信装置のミクサ５６に向けられる。手首部分の受信アンテナ５７から受信された無線周波数信号は、第３の帯域フィルター５４を介して手首部分の受信装置の高周波増幅器６０に送られて増幅され、更に手首部分の受信装置のミクサ５６に送られる。このミクサの出力から、局部発振器と受信された無線周波数信号との差信号が第４の帯域フィルター６３を介して手首部分の検波器３５に向けられる。第４の帯域フィルター６３の通過帯域の幅も、チャネルの幅と実質的に同じである。検波器３５の出力信号は、ＡＦＣ信号を形成するために手首部分の検波器の低域フィルター７６に向けられる。手首部分のオーディオラインから、復調された信号が得られる。データ信号が受信されているとき、その信号は手首部分のコントローラ３４に向けられ、該コントローラはスイッチＳ１４をオンに切り換えることにより、受信されたデータを調べる。しかし、オーディオ信号は、スイッチＳ１２をオンに切り換えることにより、補助受話口１３に向けられる。更に、復調された信号は抵抗Ｒ６を介してＡＦＣラインに向けられ、その電圧レベルは手首部分のコントローラ３４によって制御される。送信の周波数へのロッキングは、スイッチＳ１１をオンに切り換えることにより手首部分の局部発振器のキャパシタンスダイオードＤ３に対してＡＦＣラインの電圧をオンに切り換えることによって有利に実行される。
【００３４】
手首部分の送信装置３９で変調されたデータ信号又はオーディオ信号は、変調器３８の発振回路内にあるキャパシタンスダイオードＤ４に向けられる。この発振回路の基本周波数は、送信される無線周波数信号と受信される無線周波数信号との間に所望のデュプレックス分離の値に等しい周波数差が生じることとなるように選択される。コントローラ３４は、データが転送されている間はスイッチＳ４をオンに切り換えておき、その時スイッチＳ５はオフにされている。また、アナログ信号が送信されている間はコントローラ３４はスイッチＳ５を閉じておき、スイッチＳ４を開いておく。スイッチＳ４、Ｓ５と直列に接続されている分離手段Ｒ９、Ｒ１０は、整合手段として作用する。変調の結果として、周波数変調された信号が得られ、この信号は送信装置のミクサ５５の第１入力に送られる。手首部分の局部発振器３７の周波数はミクサ５５の第２入力に向けられる。この様にして、手首部分の周波数変調された送信チャネル周波数信号がこのミクサの出力から得られ、この信号は手首部分の高周波増幅器６１で更に増幅され、例えばスプリアス放射を減衰させるために低域フィルター４０で低域通過濾波される。この低域フィルターから、変調された無線周波数信号は送信アンテナ５３に向けられる。
【００３５】
警報が発生された後、手首部分のコントローラ３４は手首部分の変調器３８にコマンドを入力し、このコマンドはリンクモジュールに送られ、これにより電話のリンクモジュール１０が制御されて入り呼のデータを手首部分３に送る。リンクモジュールの受信装置２１において、手首部分の送信装置から送られた信号が復調されてリンクモジュールのコントローラ２７に送られ、該コントローラはそのコマンドを解釈する。これに基づいてリンクモジュールのコントローラ２７は例えば無線電話１のシステムコネクタ１２からデータを取り出すが、リンクモジュール１０は前記のシステムコネクタ１２に接続されている。リンクモジュールにおいて、そのデータはもし必要ならば修正され、リンクモジュールの変調器２９はこのデータにより変調される。手首部分の受信装置は、手首部分のコントローラ３４により修正されたデータを受け取って、そのデータをディスプレイドライバに送って補助ディスプレイ手段１１で表示させる。従って、ユーザーは補助ディスプレイ手段１１で例えば発呼者の電話番号又は名前を見ることができる。ユーザーは、その呼に答えたい場合には、普通は緑色の送受話器で示される応答キー１５を押す。このキーが押されたことに基づいて、手首部分のコントローラ３４はリンクモジュールにメッセージを送って通話を開始する。その後、データ転送が終了し、リンクモジュールの変調器のスイッチＳ２が開かれる。また、オーディオラインがオンにされる、即ち、スイッチＳ６が閉じられる。手首部分３において、スイッチＳ１２をオンに切り換えることにより検波器の出力が手首部分の補助受話口１３に接続され、スイッチＳ５を閉じることにより変調器の入力が手首部分の補助マイクロホン１４に接続される。リンクモジュール１０ではスイッチＳ６及びＳ９をオンに切り換えることによりオーディオライン４１、４２がシステムコネクタの外部オーディオライン（ＥＸＴ．ＡＵＤＩＯ）に結合される。電話部分２自体の受話口８及びマイクロホン９をオンに切り換える必要はない。電話通信は今や完成していて、補助受話口１３が引き出され、手が耳の所に置かれ、話しを始めることができる。電話部分２と手首部分３との通信の質が良好であるならば、リンクを通して通話を完全に行うことができる。その質が充分でない場合には、電話部分２に手が届くまで相手にそのまま待ってもらって、その後に通話を続ける。通話の始めに電話部分のマイクロホン９及び受話口８がオンに切り換えられていなかったならば、この時点でそれらがオンに切り換えられる。図２の電話部分は、無線部の処理装置５０によりオンに切り換えられるスイッチＳ７、Ｓ８を有し、電話部分２を使用して通話を継続することができる。
【００３６】
補助ディスプレイ手段１１上のデータの更新を、ディスプレイデータを手首部分に送ることにより適当な間隔で実行することができる。しかし、この実施例では通話中には他のデータの更新及び送信は行われない。例えばデジタルリンクを使用するときには、音声とデータとを同時に送信することが可能である。
【００３７】
手首部分３の１つの機械的実施原理が図１に示されている。手首部分の送信装置／受信装置３３、３９、コントローラ３４、受話口１３及びマイクロホン１４は第１手首ケース１９ａに置かれている。ディスプレイ手段１１及び送受話器キー１５、１６は第２手首ケース１９ｂに置かれている。手首部分の送信及び受信アンテナ５３、５７を、第１及び第２の手首ケースの間の信号ワイヤ（図示せず）とともに腕帯１７に取り付けることができる。
【００３８】
電話部分のシステムコネクタ１２に接続されているリンクモジュール１０は、いわゆるループスルー（Loop Through）型のものであってもよい、即ちリンクモジュール１０の他方の端に電話部分のシステムコネクタ１２と同様のシステムコネクタがある型のものであってよい。少なくとも充電接点はリンクモジュール１０に通されていて、電池に充電するときにリンクモジュールを取り外す必要はない。
【００３９】
この様に、本発明の第１の実施例では手首部分３は電話自体のユーザーインターフェースと相似していて、例えば手首部分の通信が外乱或いはその他の理由で機能しないときなどには電話部分２を通常の電話として使用することができる。添付の図１，４，５及び９ではリンクモジュール１０は電話に接続された別のモジュールとして図示されているけれども、リンクモジュールの機能を電話の中に置くことも可能である。
【００４０】
手首部分及びリンクモジュールの送信装置／受信装置の実用的実施例では、例えばアナログ無線電話で使用される中間周波数回路４３、４３’（ＩＦ）を使用することが可能であり、前記の中間周波数回路は、特に、ミクサ、高周波増幅器及び低周波増幅器、振幅制限回路、及び検波器から成る。該回路の感度は、この目的のためには十分である。該回路は経済的で、電力消費量が少ない。更に、送信装置を具体化するために、既製のＦＭ変調器４４、４４’が存在する。本発明の手首部分は、その電力消費量を非常に少なくすることができるので、充電できない電池で作動させることもできる。
【００４１】
コントローラ２７、３４は、例えば、処理装置の他にランダムアクセスメモリー（ＲＡＭ）、入出力ライン、アナログ／デジタル変換器、デジタル／アナログ変換器及び読み出し専用メモリー（ＲＯＭ）を有する公知のマイクロコントローラであることができる。特に、リンクモジュール１０が電話部分２の一部分として具体化されているような実施例では、リンクモジュール・コントローラの機能を少なくとも部分的に電話部分２のコントローラのアプリケーション・ソフトウェアとして実現することもできる。
【００４２】
スイッチＳ１〜Ｓ１４は半導体スイッチであるのが有利であり、その場合にはそれらのスイッチは該スイッチの制御ラインに対する電圧を切り換えることによって制御され、その電圧は第１の値ではオフ・モードを、第２の値ではオン・モードを有する。その第１の電圧値は例えば約０Ｖであり、第２の値は動作電圧Ｖｃｃの値に近い。その制御ラインをコントローラ２７、３４、５０のバイナリＩ／Ｏ（入出力）ラインに結合させることができ、例えば該コントローラのアプリケーション・ソフトウェアによる２つの電圧値を該コントローラのアプリケーション・ソフトウェアで前記バイナリＩ／Ｏラインにセットすることが可能である。
【００４３】
ユーザーインターフェース全体を手首部分３に移し、電話部分２にはユーザーインターフェース（キーパッド６、ディスプレイ装置７、受話口８、及びマイクロホン９）が全く存在しないように本発明を適用することもできる。その場合、電話部分２は主として無線部の送信装置／受信装置４９、アンテナ５、電源６５、操作スイッチ６４、及び手首部分３と通信するためのデータ転送手段１０から成る。その場合、手首部分のキーパッド６６は、通話をするために必要な数字キー及び送受話器キー１５、１６などの全てのキーを有する。本発明のこの第２の有利な実施例の１つの良い例が図４に示されている。
【００４４】
図５〜８に示されている、本発明の第３の有利な実施例である無線電話１は、３つの部分に分かれている。この文脈では第２部分及び第３部分の間のデータ転送通信は第２リンク通信ＬＩＮＫ２と称され、第１部分及び第２部分の間のデータ転送通信は第３リンク通信ＬＩＮＫ３と称される。第１部分、即ち電話部分は、その相当の部分に関して第１実施例の電話部分２と一致する。第２部分、即ち手首部分３は、ディスプレイ装置１１と、送受話器キー１５、１６と、電話部分２との通信のための第１リンク通信ＬＩＮＫ１用のデータ転送手段と、第３の部分即ちヘッドセット部４５との通信のための第２リンク通信ＬＩＮＫ２用のデータ転送手段とを有する。この実施例では、手首部分３は、電話部分２とヘッドセット部４５との間のデータ転送においてオーディオ信号のための中継器として機能する。ヘッドセット部４５は、主として、補助受話口１３と補助マイクロホン１４などのオーディオ部品と、手首部分３との通信のための第２リンク通信ＬＩＮＫ２用の通信手段とを有する。手首部分３では、いずれの方向に進んでいるオーディオ信号に対しても検波は行われない。リンクモジュールから送信されるデータ信号は電話部分２と手首部分３との間で転送されるけれども、このデータ信号はヘッドセット部４５には向けられない。しかし、手首部分３とヘッドセット部４５との間では、送受話器部分が正しい手首部分と通信することを保証するためにパスワード等のデータ信号を転送することもできる。図８の回路図は、第２リンク通信ＬＩＮＫ２用のヘッドセット部の通信手段を示しており、この通信手段は、送信装置７０と、受信装置７３と、送信アンテナ７１及び受信アンテナ７２と、局部発振器６９から成っていて、その周波数はキャパシタンスダイオードＤ５により制御される。この通信手段の機能に関して、ここでは手首部分の送信装置／受信装置３９、３３の動作に関するこの明細書の前の説明を参照する。
【００４５】
図７において、手首部分３のブロック図は、本発明の第１実施例の送信装置／受信装置を有し、その送信装置／受信装置には変換器４６、４７及び該変換器の局部発振器４８が追加されている。オーディオ信号で変調されて電話部分２から送信された高周波信号は、手首部分の受信アンテナ５７から帯域フィルター５４及び高周波増幅器６０を介して伝送変換器４６に向けられ、ここで該変換器の局部発振器４８の周波数がその信号に混合される。その混合の結果は低域フィルター７７を介して該変換器の送信アンテナ６７に向けられる。オーディオ信号で変調されてヘッドセット４５から送信された高周波信号は、該変換器の受信アンテナ６８により受信されて受信変換器４７に向けられ、ここで該変換器の局部発振器４８の周波数がその信号に混合される。その混合結果は低域フィルター４０と高周波増幅器６１とを介して受信アンテナ５７に向けられる。
【００４６】
該変換器の局部発振器４８の周波数は、第２リンク通信ＬＩＮＫ２のチャネルが第１リンク通信ＬＩＮＫ１のチャネルと重なり合わないように選択される。
【００４７】
本発明の第４の有利な実施例である無線電話１も３つの部分に分かれている（図９）。第１部分２、即ち、電話部分はその相当の部分が第２実施例の電話部分２と一致しており、この電話部分にはユーザーインターフェースは無い。第２部分３、即ち、手首部分は、ディスプレイ装置１１、通話をするのに必要な数字キー及び送受話器キー１５、１６等の全てのキーを有するキーパッド６６を有する。ディスプレイ手段及びキーパッドは手首部分のコントローラ３４のＩ／Ｏラインに有利に接続される。手首部分は、電話部分２との通信のための第１リンク通信ＬＩＮＫ１用のデータ転送手段３３、３９と、第３部分即ちヘッドセット部４５との通信のための第２リンク通信ＬＩＮＫ２用のデータ転送手段４６、４７、４８、６７、６８とをも有する。ヘッドセット部４５は、主として、補助受話口１３及び補助マイクロホン１４等のオーディオ部品と、手首部分３と通信するための第２リンク通信ＬＩＮＫ２用の通信手段とから成る。この実施例では電話部分２はユーザーインターフェースを持っていないので、通話は手首部分のキーパッドを使って行われる。他の点に関しては、本発明の第４の実施例の動作は本発明の第３の実施例の動作と実質的に一致する。
【００４８】
本発明の第３及び第４の実施例の移動局は、電話部分２と手首部分３との間ではデータ信号のみが転送され、オーディオ信号は第３のリンク通信により電話部分２とヘッドセット部４５との間で直接転送されるように具体化されることもできる。従って、電話部分２は第３リンク通信ＬＩＮＫ３用のデータ転送手段（図示せず）を更に有する。第３リンク通信の周波数帯域は、第３リンク通信のチャネル周波数と第１リンク通信のチャネル周波数との差が一定となるように有利に選択され、第３リンク通信のデータ転送手段においてリンクモジュールの局部発振器と安定した周波数に同調されている補助発振器とを使って局部発振器周波数を作ることができる。上記のデータ転送方法によって、オーディオ信号及びデータ信号の伝送を実施することができる（周波数変調された高周波信号として伝送するのが有利である）。
【００４９】
手首部分３とヘッドセット部４５との間の距離は約１ｍと短く、割合に小さな送信出力で充分である。
【００５０】
３つの部分に分かれている電話では、電話部分２、手首部分３及びヘッドセット部４５の間の通信は、リンクＬＩＮＫ１及びＬＩＮＫ３のみが各該リンクが同一であるように使用されるようにして行われることも可能である。リンク通信に含まれるデータ信号は手首部分で表示され、手首部分はそのデータのみを送信する。ヘッドセット部では、リンク通信に含まれているオーディオ信号が受話口１３に向けて検出され、ヘッドセットはマイクロホン１４から得られるオーディオ信号によってリンク信号を変調する。必要ならば、例えば受話口及びマイクロホンの信号強度レベルを制御するためにヘッドセット部でデータ信号の一部を検出することも可能である。
【００５１】
本発明の第３及び第４の実施例の無線電話のヘッドセットは、例えば、ユーザーの頭に付ける公知のヘッドホン・マイクロホン組み合わせセットであることができ、その場合、１個又は複数個のヘッドホン及びマイクロホンを直ぐに使用することができ、通話中に両手が自由である。
【００５２】
図１３（Ａ）及び（Ｂ）は、本発明の無線電話の第２部分３のもう一つの構成を示す略図である。第２部分３は眼鏡７９、サングラス等と関連して設けられている。補助イヤホン１３は眼鏡の第１アーム８０のツル８１の、例えばツル８１の中に、有利に設けられている。補助マイクロホン１４はこの実施例では補助アーム８２の第１端部８２ａに置かれている。この補助アームは、該補助アームの第２端部８２ｂからのヒンジで眼鏡の第１アーム８０に取り付けられている。第２部分３は、呼に答えるための手段も有し、この手段は補助アームの第２端部８２ｂに置かれた例えばスイッチ（図示せず）を備えていて、第２部分が待機状態であるとき（図１３（Ａ））、このスイッチは第１状態（例えば開いた状態）となっている。入り呼に答えるとき、補助アーム８２は図１３（Ｂ）に示されているように下方に回される。このときスイッチは第２状態（閉じた状態）となり、第２部分のコントローラ３４は該スイッチの状態の変化を検出して、この明細書の前の部分に記載したようにリンク接続を設定し始める。呼を終了させるとき、補助アーム８２は回されてアーム８０とほぼ平行となるように戻され、これによりスイッチはその状態を変更し、リンク接続を閉じることができる。この有利な実施例では、第２部分のトランシーバー、コントローラ等を実現するための、この明細書において前述した解決策を使用することが可能である。図１３（Ａ）及び（Ｂ）において、参照数字８４は、それらを有利に収容することのできるハウジングを指している。補助イヤホン１３、補助マイクロホン１４、トランシーバー等の間の配線は、例えばアーム８０、８３の中或いはその外面に配置される。
【００５３】
以上の記述から、この眼鏡の解決策を３部分から成る本発明の第３及び第４の実施例の無線電話にも適用し得ることは明かであり、その場合にはヘッドセット部４５は眼鏡７９と関連して設けられ、例えば補助イヤホン１３、補助マイクロホン１４、及び第２リンク接続ＬＩＮＫ２用の通信手段を有する。呼に答えるための手段は無線電話の第２部分３に好ましく統合される。
【００５４】
第２部分３の機械構造は、手首に置かれる上記の部分とは異なる種類のものであることができる。それは、例えば、胸のポケットに入れて置くことの出来る薄いカード状のユニットであることができ、或いは第２部分３は例えば万年筆状のユニットであることができる。
【００５５】
この明細書の前の部分で、使用される受信帯域全体を走査して空いているチャネルを探すことによってリンク通信ＬＩＮＫ１、ＬＩＮＫ２、ＬＩＮＫ３で使用される周波数（チャネル）を選択するための構成を紹介した。図１１はリンク通信に使用される周波数を選択するための代わりの方法を示している。
【００５６】
無線電話セルラー通信網は、同じセル内では、即ち同じ地域内では、同時に作動している無線電話が異なる送信／受信周波数及び／又は異なるタイムスロットを使用するように、即ち各無線電話が自分の独自のトラフィックチャネルを有するように、該通信網内の無線電話の周波数を制御する。この情報はリンク周波数が該無線電話の無線部により使用される周波数及び／又はタイムスロットに束縛されることとなるように利用され、その周波数及び／又はタイムスロットにより該無線電話は基地局と通信する。リンクの周波数が全てのアナログ無線電話で例えば該電話の送信装置の周波数から一定の周波数差を有し、同じセル内で動作している全ての無線電話の無線部４の送信装置が異なる周波数であるときには、このことは該セル内の該無線電話のリンク周波数も異なることを意味する。図１１の無線電話１では、無線部の送信装置／受信装置４９の局部発振器５１は、送信装置／受信装置４９に向けて送信及び受信周波数を作る。これと同じ周波数の、無線部の送信装置／受信装置の局部発振器５１の周波数又はこれと関連する無線部周波数をリンクモジュールのミクサ７８のモジュールの局部発振器の周波数と混合することにより該局部発振器５１の周波数がリンク周波数を生成するために利用される。即ち、該リンク周波数は無線部の局部発振器５１の周波数に追従するけれども、それから一定の周波数差を保つ。この様にして、同じセル内の無線電話のリンク周波数が同じ周波数にセットされることが防止される。混合は、使用されるリンク周波数に応じてアップ混合又はダウン混合であることができる。
【００５７】
図１２に示されているリンク周波数の制御手段の第３の有利な実施例は、リンク周波数を作るためのシンセサイザ５２を有する。この実施例では、そのシンセサイザは、フェーズロックドループ（ＰＬＬ）と電圧制御発振器（ＶＣＯ）とを有する。フェーズロックドループにおける分周率（the division ratio）を変更することによって電圧制御発振器の制御電圧が変更され、電圧制御発振器の周波数が変更される。無線部のコントローラ５０は、無線部の送信装置／受信装置４９により使用される周波数／タイムスロット、即ちトラフィックチャネル、についての情報を持っている。この情報を使って、無線部の処理装置５０は、リンク周波数をセットするためにリンクのシンセサイザ５２を制御する。この処理装置は同時に、リンク周波数と無線部の送信装置／受信装置４９の送信及び受信周波数との間に所定の周波数差を存在させるようになっている。
【００５８】
例えばＴＤＭＡ（ＧＳＭ、ＰＣＮ）及びＣＤＭＡなどのデジタル電話では、同じセル内で数台の電話が同時にアクティブとなり同じ周波数で作動することができる。ＴＤＭＡシステムでは、同じ周波数で通信している電話は異なるタイムスロットを使用し、これにより該電話同士が妨害し合うことが防止される。
【００５９】
ＣＤＭＡ（code division multiple access （符号分割多元接続））システムでは、電話は同時に同じ周波数で通信する。ＣＤＭＡはスペクトル拡散通信法に基づいている。各チャネルが独自の疑似ランダム・バイナリシーケンスを持っていて、これにより搬送波が変調され、スペクトルが拡散される。受信時に、選択されたバイナリシーケンスの信号エネルギーのみを受け入れてそのスペクトルを拡散解除する相関器を用いて信号同士が分離される。
【００６０】
同じセルの数台の電話が同時に同じ周波数で通信する電話システムでも図１２の実施例を使用することができる。
【００６１】
同じセル内に存在する各電話が独自のトラフィックチャネル（チャネル番号）を持っており、それで該電話は基地局と通信する。該電話の各トラフィックチャネル（電話⇔基地局）がそれぞれ独自のリンクチャネルを有するようにリンクチャネルＬＩＮＫ１、ＬＩＮＫ２、ＬＩＮＫ３がチャネル番号と結びつけられているときには、電話リンク同士の妨害を無くすることができる。
【００６２】
更に、同じ周波数のトラフィックチャネル（電話⇔基地局）が、それらが使っていたタイムスロットのデータをリンクＬＩＮＫへ転送するようにデジタル電話のリンクチャネルＬＩＮＫ１、ＬＩＮＫ２、ＬＩＮＫ３で時分割を使用することが可能である。このデータは無線部の処理装置５０に存在し、該処理装置はリンクモジュールのＰＬＬユニット５２及び制御ユニット２７を制御することができる。従って、各電話のリンクは該リンクのために留保されているタイムスロットの中でのみ動作し、電話同士の妨害は防止される。リンクＬＩＮＫ周波数はトラフィックチャネルの周波数とは異なるので、各トラフィックチャネル或いはチャネルのグループがそれぞれ独自のリンクチャネルを有する限りは、該リンクにより使用されるタイムスロットはトラフィックチャネルのタイムスロットとは異なるかも知れない。また、各リンクチャネルがそれぞれ独自のホッピングシーケンスを有するようにリンクで周波数ホッピングを使用することができ、これにより電話同士の妨害が防止される。
【００６３】
リンクにおいて、ＣＤＭＡシステムのスペクトル拡散通信法を使用することも可能であり、その場合、各リンクチャネルは異なる疑似ランダム・バイナリシーケンスを有し、互いに接近している電話同士の妨害が防止される。この場合にも、各トラフィックチャネル或いはチャネルのグループ（電話⇔基地局）が該リンクにそれぞれ異なる疑似ランダム・バイナリシーケンスを持っていれば十分である。
【００６４】
ＴＤＭＡ又はＣＤＭＡ法を使用すれば、リンクの送信装置及び受信装置は同じ周波数で動作することができる、即ちリンクは、例えば、同じ周波数で、ただし異なるタイムスロットで或いは異なる疑似ランダム・バイナリシーケンスを使って、送信及び受信を行うことができる。
【００６５】
リンクチャネルを作る同じ原理を電話とそのアクセサリとの間の通信に使用することができる。
【００６６】
本発明の実施例では本発明の重要な特徴のみが解説されている。例えば、数個の中間周波数を使用するようにリンクの受信装置及び送信装置を実現することができるが、そのことはこの分野の専門家には知られていることである。
【００６７】
携帯用通信端末として動作すると考えられるような無線電話に本発明を適用するのが有利ではあるけれども、１つ或いは数個の基地局を経由することのある通信を２台の無線電話同士で行うような無線電話に本発明を適用することもできる。
【００６８】
図１４は参照数字８４でまとめて指示されているモジュラー無線電話装置を示している。この装置は、ハウジング８６と、このハウジングに内蔵されている無線トランシーバー（送信装置／受信装置）８７とから成るコアモジュールユニット８５を有する。トランシーバー８７は、図１〜１３の実施例に関して上で説明したよう様に機能して、例えばＧＳＭ通信網などのセルラー無線電話通信網８８と通信する。コアモジュール８５は在来の電話ユーザーインターフェースを持っておらず、ユーザーはコアモジュール８５だけを使って電話をかけたり受けたりすることはできない。
【００６９】
コアモジュール８５は、独立の電源（図示せず）を各々内蔵している数台の”周辺”モジュール８９、９０、９１のうちの１つと通信する。図１４には、例として、異なるユーザー機能を各々提供する周辺モジュールが３台図示されている。第１のモジュール８９は、マイクロホン９２、受話口９３、数字キーパッド９４、及びＬＣＤディスプレイ９５を有するクレジットカードのサイズのモジュールである。これらのコンポーネントの各々は該モジュールの中のデータ処理装置９６に結合され、この処理装置は低電力無線トランシーバー９７に結合されている。このトランシーバー９７は、コアモジュール８５の、対応する低電力トランシーバー９８と無線通信することができる。従って周辺モジュール８９は、ユーザーがコアモジュール８５を介して音声通話をかけたり受けたりできるようにする装置８４のための第１のユーザーインターフェースを提供する。
【００７０】
図１４に示されている第２のモジュール９０は、マイクロプロセッサ（図示せず）を内蔵するパームトップ型コンピュータ或いはパーソナルデジタルアシスタント（personal digital assistant（ＰＤＡ））の形を持っている。モジュール９０も、コアモジュール８５と通信するための低電力トランシーバー９７を内蔵している。この第２モジュールは、例えばショート・メッセージ・サービス（ＳＭＳ）、ファクシミリ、及び電子メールなどのデータ通信をやりとりするために使うことのできるものである。
【００７１】
第３の周辺モジュール９１は、血糖試験紙を挿入するためのスロット９９を包含する血糖測定装置を有する。無線電話通信網と通信する測定装置は、例えば、ＷＯ９７／２８７３６及びＷＯ９７／２８７３７に開示されている。このモジュールの中のデータ処理手段１００は、測定された血糖レベルを低電力無線トランシーバー１０１に知らせる。このトランシーバー１００は、そのデータをコアモジュール８５の低電力受信装置９９に送る。第３のモジュール９１は、コアモジュール８５を介して通信網８８からデータを受け取ることもできる。このデータは、測定された血糖レベルに応じて決定される食養生法に関連するものであることができる。
【００７２】
図１〜１３に関して上で行った詳しい解説から、コアモジュール８５と周辺モジュール８９、９０、９１の間の’リンク’接続を実現する方法が分かる。周辺モジュールをどの様にコアモジュールと交互に操作するかも明かであろう。
【００７３】
異なるローカル無線トラフィックチャネル（アップリンク及びダウンリンク）を異なる周辺モジュールに割り当てることによって、２つ以上の周辺モジュール同士の混信を避ける。例えば、チャネル同士を周波数領域で一定量だけ隔ててもよい。更に、部分的に重なり合う伝送地域の中で種々の無線システムが行う局所通信同士の混信を避けるために、与えられたコアモジュールの局所通信に割り当てられる周波数を、該コアモジュールが電話通信網と通信する周波数に対して相対的に固定する。或いは、種々のチャネルを時間領域で決まった量だけ分離することによって分離を達成することもできる。また、他の代替実施態様では、通信網から局所トラフィックチャネルを個々のモジュールに割り当てることもでき、それらのチャネルは該通信網トラフィックチャネルを介して送られるメッセージで識別される。
【００７４】
本発明は上記の実施例のみには限定されず、特許請求の範囲の各請求項の範囲内で修正され得るものである。
【図面の簡単な説明】
【図１】本発明の第１の有利な実施例である無線電話を示す図である。
【図２】本発明の第１の有利な実施例である無線電話の第１部分の有利な実施態様の縮小ブロック図である。
【図３】本発明の第１の有利な実施例である無線電話の第２部分の有利な実施態様の縮小ブロック図である。
【図４】本発明の第２の有利な実施例である無線電話を示す図である。
【図５】本発明の第３の有利な実施例である無線電話を示す図である。
【図６】本発明の第３の有利な実施例である無線電話の第１部分のデータ転送手段の有利な実施態様の縮小ブロック図である。
【図７】本発明の第３の有利な実施例である無線電話の第２部分のデータ転送手段の有利な実施態様の縮小ブロック図である。
【図８】本発明の第３の有利な実施例である無線電話の第３部分のデータ転送手段の有利な実施態様の縮小ブロック図である。
【図９】本発明の第４の有利な実施例である無線電話を示す図である。
【図１０】本発明の第４の有利な実施例である無線電話の第２部分のデータ転送手段の有利な実施態様の縮小ブロック図である。
【図１１】リンク周波数の制御部の第２の有利な実施態様の縮小ブロック図である。
【図１２】リンク周波数の制御部の第３の有利な実施態様の縮小ブロック図である。
【図１３】（Ａ）及び（Ｂ）は、それぞれ本発明の無線電話の第２部分３の更に別の構成を示す骨組み図である。
【図１４】モジュラー無線電話装置を示す図である。
【符号の説明】
１…無線電話
２…第１部分（電話部分）
３…第２部分（手首部分）
４…無線部
５…アンテナ
６…キーパッド
８，１３…受話口及び補助受話口
９，１４…マイクロホン及び補助マイクロホン
１５，１６…送受話器キー
２１，３３…受信装置
２８，３９…送信装置
４５…第３部分（ヘッドセット部）
６５…電源
【図１】
0004018211.tif 000002
【図２】
0004018211.tif 000003
【図３】
0004018211.tif 000004
【図４】
0004018211.tif 000005
【図５】
0004018211.tif 000006
【図６】
0004018211.tif 000007
【図７】
0004018211.tif 000008
【図８】
0004018211.tif 000009
【図９】
0004018211.tif 000010
【図１０】
0004018211.tif 000011
【図１１】
0004018211.tif 000012
【図１２】
0004018211.tif 000013
【図１３】
0004018211.tif 000014
【図１４】
0004018211.tif 000015